【事件の表示】
　特願２００５−２５７１３５「移動通信端末機のアンテナ装置及びその運営方法」拒絶査定不服審判事件〔平成１８年　３月２３日出願公開、特開２００６−　８１１８１〕について、次のとおり審決する。
【結　論】
　本件審判の請求は、成り立たない。
【理　由】
第１　手続の経緯
　本願は、平成１７年９月５日（パリ条約による優先権主張２００４年９月７日、大韓民国）の出願であって、平成１９年２月１６日付けで拒絶理由が通知され、同年５月１８日付けで手続補正されたが、同年７月６日付けで拒絶査定がなされ、これに対し、同年１０月９日に拒絶査定不服の審判が請求され、同年１１月８日付けで手続補正されたものである。
　
第２　本願発明
　特許請求の範囲の請求項１に係る発明（以下、「本願発明」という。）は、平成１９年１１月８日付けで手続補正された明細書及び図面の記載からみて、その特許請求の範囲の請求項１に記載された以下のとおりのものと認める。
　
　「移動通信端末機のアンテナ装置であって、該アンテナ装置は、
　第１アンテナと、
　該第１アンテナに接続されたアンテナ長調整部であって、該第１アンテナの長さを変化させるアンテナ長調整部と
　を備え、
　該アンテナ長調整部は、
　複数の第２アンテナと、
　複数のスイッチであって、該複数のスイッチのそれぞれは、該第１アンテナと該複数の第２アンテナのうちの１つとの間に接続されている、複数のスイッチと、
　制御部であって、
　　該第１アンテナの信号送受信品質を測定し、
　　該複数のスイッチのそれぞれを選択的に作動させて、複数の特有なスイッチ配置を生じさせ、
　　該複数の特有なスイッチ配置のそれぞれの信号送受信品質を測定し、
　　該複数の特有なスイッチ配置のうちの１つの特有なスイッチ配置であって、最も高い測定された信号送受信品質を有する特有なスイッチ配置を選択する
　制御部と
　を備える、アンテナ装置。」
　
第３　引用発明
　原審の拒絶理由に引用された特開２００４−９６３４１号公報（以下、「引用例」という。）には、図面とともに以下の事項が記載されている。
　
イ．「【０００１】
【発明の属する技術分野】
本発明は、アンテナ装置に関し、特に、逆Ｆ型アンテナを有する情報処理装置に関する。」（２頁段落１）
　
ロ．「【００２３】
【発明の好ましい実施形態】
図１は、本発明の実施形態による、例えばノートブック型パーソナル・コンピュータ（ＰＣ）およびＰＤＡのようなモバイル情報処理装置１０の構成の部分切り欠き図を示している。情報処理装置１０は、表示部筐体２０の内部における表示装置２２の上辺にほぼ沿って配置された水平方向の逆Ｆ型アンテナ（Ｉｎｖｅｒｔｅｄ−Ｆ　Ａｎｔｅｎｎａ）５２と表示装置２２の左側辺にほぼ沿って配置された垂直方向の逆Ｆ型アンテナ５４とを含み、さらに主要部筐体３０の内部におけるキーボード３２の左側辺にほぼ沿って配置された水平方向の逆Ｆ型アンテナ５６を含んでいる。３つの逆Ｆ型アンテナ５２、５４および５６は、表示部筐体２０の表示面と主要部筐体３０のキーボード面が９０度になるように表示部筐体２０を開いたときに、それぞれのアンテナ方向が概ね互いに垂直になるように配置されている。逆Ｆ型アンテナ５２、５４および５６は、接地点に並列に接続されている。３つの逆Ｆ型アンテナ５２、５４および５６は、例えば偏波、周波数、スペースおよび角度ダイバーシティ（ダイバーシチ）のようなダイバーシティのために設けられている。逆Ｆ型アンテナ５２、５４および５６は、送信および受信に用いることができる。
【００２４】
図２は、本発明の実施形態による、図１に示された逆Ｆ型アンテナ５２、５４および５６として用いられる逆Ｆ型アンテナ５００の構成とその関連するコンポーネントとを例示している。逆Ｆ型アンテナ５００は、ＲＦ信号放射および受信用の逆Ｆ型の主要導体エレメント５０２、エレメント５０２に直列に結合される、ＲＦ電磁波放射および受信用の中間の細長い長方形状の導体エレメント５０６および５０８および先端の細長い長方形状の導体エレメント５１０、および金属の接地導体５１８を含んでいる。エレメント５０２、５０６、５０８および５１０は、プリント板４００上に、成形されたプレートとして実装されまたはストリップ・ラインとして形成されている。逆Ｆ型アンテナ５００は、さらに、プリント板４００上に配置されたアンテナ５００の実効的長さＬまたは共振周波数ｆの調整用のスイッチ・ユニット６０２、６０４および６０６を含んでいる。
【００２５】
逆Ｆ型主要エレメント５０２は、細長いセグメント５０４と、セグメント５０４の一端に
おいてほぼ垂直方向に分岐していて接地点ＧＰにおいて接地導体５１８に接続される短い基部セグメント５１２と、セグメント５０４の両端の間の位置でほぼ垂直方向に分岐していて接地導体５１８から分離している短い給電セグメント５１４とで形成されている。セグメント５０４とエレメント５０６、５０８および５１０とはほぼ直線上にあり、接地導体５１８のエレメント５０２側の則辺（上端縁）にほぼ平行に延びている。給電エレメント５１４は、その端部または給電点ＦＰが例えば同軸ケーブルのような給電線またＲＦ信号線は５２０に結合されている。
【００２６】
スイッチ・ユニット６０２はセグメント５０４の他端とエレメント５０６の一端の間に結合される。スイッチ・ユニット６０４はエレメント５０６の他端とエレメント５０８の一端の間に結合される。スイッチ・ユニット６０６はエレメント５０８の他端とエレメント５１０の一端の間に結合される。
【００２７】
逆Ｆ型アンテナ５００の実効的長さＬは、エレメント５０２のセグメント５１２の長さおよびセグメント５０４の長さ、およびエレメント５０２に電気的に結合されたエレメント５０６〜５１０の長さの総和によって表される。エレメント５０４〜５１４のそれぞれの長さは、典型的には約１ｃｍ〜約１０ｃｍのオーダである。スイッチ・ユニット６０２、６０４および６０６は、図において誇張して大きく表されているが、エレメント５０２、および５０６〜５１０と比較して遙かに小さい大きさまたはサイズ、例えば約１ｍｍ〜数ｍｍの大きさ（ｄｉｍｅｎｓｉｏｎｓ）を有する。
【００２８】
給電エレメント５１４上のＲＦ信号の電圧定在波比（ＶＳＷＲ）（＝（１＋｜ｒ｜）／（１−｜ｒ｜）、ここでｒは複素電圧反射係数を表す）が適当な値に、例えば値２になるように、アンテナ５００のエレメント５０２、５０６、５０８および５１０の形状および場合によっては関連するインダクタンス（誘導）およびキャパシタンス（容量）が調整されている。アンテナ５００と給電線５２０がインピーダンスについて完全な整合状態にあるとき、ＶＳＷＲは値１である。ＶＳＷＲを値１より幾分大きくすると、ＲＦ信号の品質が幾分か低下するがアンテナ５００の共振周波数帯域がより広くなる。
【００２９】
情報処理装置１０は、さらに、信号処理部３０２、ＲＦチューナ３０４および制御デコーダ３０６を含んでいる。信号処理部３０２は、ＣＰＵ、ＲＯＭおよびＲＡＭ等を含む、パーソナル・コンピュータ等の通常のプロセッサであればよい。情報処理部３０２は、ＲＦチューナ３０４およびスイッチ制御デコーダ３０６に結合されている。ＲＦチューナ３０４は給電線５２０に接続されている。制御デコーダ３０６はアンテナ５００のスイッチ・ユニット６０２〜６０６に結合されている。
【００３０】
情報処理部３０２は、チャンネル識別またはチャンネル番号を表すデータをＲＦチューナ３０４に供給し、チャンネル識別に対応するアンテナ５００の共振周波数ｆの調整用の制御信号を制御デコーダ３０６に供給する。制御デコーダ３０６は、その制御信号をデコードして、スイッチ・ユニット６０２〜６０６を制御するのに適した別の制御信号、オン／オフ制御信号ＳＣ１、ＳＣ２およびＳＣ３を、スイッチ・ユニット６０２〜６０６にそれぞれ供給する。制御デコーダ３０６に供給される制御信号は、スイッチ・ユニット６０２〜６０６のオン／オフ制御命令を含んでいてもよい。代替構成として、制御デコーダ３０６は、制御信号としてチャンネル識別を受け取って、そのチャンネル識別をデコードして、スイッチ・ユニット６０２〜６０６を制御するのに適したその別の制御信号を供給してもよい。
【００３１】
スイッチ・ユニット６０２は、制御信号ＳＣ１に応答して、エレメント５０２をエレメント５０６に結合またはそれから分離させて、アンテナ５００の実効的長さＬまたは共振周波数ｆを決定する。スイッチ・ユニット６０４は、制御信号ＳＣ２に応答して、さらにエ
レメント５０６をエレメント５０８に結合またはそれから分離させてアンテナ５００の実効的長さＬまたは共振周波数ｆを決定する。スイッチ・ユニット６０６は、制御信号ＳＣ３に応答して、さらにエレメント５０８をエレメント５１０に結合またはそれから分離させてアンテナ５００の実効的長さＬまたは共振周波数ｆを決定する。ユニット６０２〜６０６は単極単投スイッチである。
【００３２】
スイッチ・ユニット６０２がオフ状態のとき、アンテナ５００の実効的な長さＬは、セグメント５１２の長さＬ１とセグメント５０４の長さＬ２の和、即ち主要導体エレメント５０２のアンテナ長Ｌ１＋Ｌ２である。スイッチ・ユニット６０２がオン状態で、スイッチ・ユニット６０４がオフ状態のとき、アンテナ５００の実効的な長さＬは、エレメント５０２の長さＬ１＋Ｌ２およびエレメント５０６の長さＬ３の和である。スイッチ・ユニット６０２および６０４がオン状態で、スイッチ・ユニット６０６がオフ状態のとき、アンテナ５００の実効的な長さＬは、エレメント５０２の長さＬ１＋Ｌ２、エレメント５０６の長さＬ３およびエレメント５０８の長さＬ４の和である。スイッチ・ユニット６０２〜６０６がオン状態のとき、アンテナ５００の実効的な長さＬは、エレメント５０２の長さＬ１＋Ｌ２、エレメント５０６の長さＬ３、エレメント５０８の長さＬ４およびエレメント５１０の長さＬ５の和である。このようにして、アンテナ５００の送受信周波数帯域を変えることができる。アンテナ５００の実効的な長さＬは、概ね、送信または受信ＲＦ信号の波長λの４分の１に対応する。
【００３３】
図２の実施形態によれば、スイッチをオンおよびオフするための簡単なディジタル回路を用いて、広い周波数帯域の小型の逆Ｆ型アンテナを実現できる。」（４頁段落２３〜６頁段落３３）
　
ハ．「【００８９】
図８は、本発明のさらに別の実施形態による、図１に示された逆Ｆ型アンテナ５２、５４および５６の構成とその関連するコンポーネントとを例示している。アンテナ５２、５４および５６の各々は、図２、３または６に示された逆Ｆ型アンテナ５００、７００または８００の構成を有する。アンテナ５２、５４および５６は、接地点に並列に結合されており、それぞれの給電線を介し、スイッチＳＷ０を介し、例えば同軸ケーブルのような給電線５２２を介してＲＦチューナ３０４に結合されている。
【００９０】
スイッチＳＷ０は、ディジタル・スイッチ制御信号ＳＣ０に応答して、逆Ｆ型アンテナ５２、５４および５６のいずれかを給電線５２２に選択的に結合する。情報処理装部３０２は、ＲＦ信号の送信または受信状態をモニタして、送信または受信状態の最も良好な逆Ｆ型アンテナを選択すればよい。
【００９１】
制御デコーダ３０６は、スイッチ制御信号ＳＣ０をＳＷ０に供給し、制御信号ＳＣ１、ＳＣ２．．．およびＳＣ９等をそれぞれの共振周波数調整用のスイッチ・ユニット６５２〜６７６に供給する。
【００９２】
アンテナ５２は、制御信号ＳＣ１〜ＳＣ３等に応答して、最短の長さ（Ｌ１＋Ｌ１２）〜最長の長さ（Ｌ１＋Ｌ１２＋Ｌ１３＋Ｌ１４＋Ｌ１５）の範囲の実効的長さを形成する。アンテナ５４は、制御信号ＳＣ４〜ＳＣ６等に応答して、最短の長さ（Ｌ１＋Ｌ２２）〜最長の長さ（Ｌ１＋Ｌ２２＋Ｌ２３＋Ｌ２４＋Ｌ２５）の範囲の実効的長さを形成する。アンテナ５６は、制御信号ＳＣ７〜ＳＣ９等に応答して、最短の長さ（Ｌ１＋Ｌ３２）〜最長の長さ（Ｌ１＋Ｌ３２＋Ｌ３３＋Ｌ３４＋Ｌ３５）の範囲の実効的長さを形成する。
【００９３】
図９は、図８における逆Ｆ型アンテナ５２、５４および５６の各々の可変実効的長さＬと共振周波数ｆとの関係を示している。例えば、アンテナの長さＬが６ｃｍのとき共振周波数は１，２５０ＭＨｚとなり、アンテナの長さＬが７ｃｍのとき共振周波数は１，０７１ＭＨｚとなり、アンテナの長さＬが８ｃｍのとき共振周波数は９３８ＭＨｚとなり、アンテナ長が９ｃｍのとき共振周波数は８３３ＭＨｚとなる。
【００９４】
図１０は、図９における共振周波数とＶＳＷＲの関係を示している。」（１３頁段落８９〜１４頁段落９４）
　
　上記引用例の記載及び図面ならびにこの分野における技術常識を考慮すると、上記摘記事項ロ．の【００２３】、【００２４】の記載、上記摘記事項ハ．の【００８９】の記載、図１、図２及び図８によれば、モバイル情報処理装置（１０）は、逆Ｆ型アンテナ（５２，５４，５６）を備えている。
　また、逆Ｆ型アンテナ（５２，５４，５６）は、逆Ｆ型の主要導体エレメント（Ｌ１＋Ｌ１２，Ｌ１＋Ｌ２２，Ｌ１＋Ｌ３２）を有している。
　また、逆Ｆ型アンテナ（５２，５４，５６）は、複数のエレメント（Ｌ１３，Ｌ１４，Ｌ１５，Ｌ２３，Ｌ２４，Ｌ２５，Ｌ３３，Ｌ３４，Ｌ３５）を有している。
　また、逆Ｆ型アンテナ（５２，５４，５６）は、複数のスイッチ・ユニット（６５２，６５４，６５６，６６２，６６４，６６６，６７２，６７４，６７６）を有している。そして、複数のスイッチ・ユニット（６５２，６５４，６５６，６６２，６６４，６６６，６７２，６７４，６７６）のそれぞれは、逆Ｆ型の主要導体エレメント（Ｌ１＋Ｌ１２，Ｌ１＋Ｌ２２，Ｌ１＋Ｌ３２）と複数のエレメント（Ｌ１３，Ｌ２３，Ｌ３３）又は複数のエレメント（Ｌ１３，Ｌ１４，Ｌ１５，Ｌ２３，Ｌ２４，Ｌ２５，Ｌ３３，Ｌ３４，Ｌ３５）相互の間に接続されている。
　また、上記摘記事項ハ．の【００９０】〜【００９２】の記載、及び図８によれば、情報処理部（３０２）及び制御デコーダ（３０６）は、逆Ｆ型の主要導体エレメント（Ｌ１＋Ｌ１２，Ｌ１＋Ｌ２２，Ｌ１＋Ｌ３２）のＲＦ信号送受信状態をモニタし、複数のスイッチ・ユニット（６５２，６５４，６５６，６６２，６６４，６６６，６７２，６７４，６７６）及びスイッチ（ＳＷ０）のそれぞれを選択的に作動させて、複数の特有なスイッチ配置を生じさせ、複数の特有なスイッチ配置のそれぞれのＲＦ信号送受信状態をモニタし、複数の特有なスイッチ配置のうちの１つの特有なスイッチ配置であって、最も良好なモニタされたＲＦ信号送受信状態を有する特有なスイッチ配置を選択していることが読み取れる。
　また、複数のエレメント（Ｌ１３，Ｌ１４，Ｌ１５，Ｌ２３，Ｌ２４，Ｌ２５，Ｌ３３，Ｌ３４，Ｌ３５）、複数のスイッチ・ユニット（６５２，６５４，６５６，６６２，６６４，６６６，６７２，６７４，６７６）及びスイッチ（ＳＷ０）、情報処理部（３０２）及び制御デコーダ（３０６）は、逆Ｆ型の主要導体エレメント（Ｌ１＋Ｌ１２，Ｌ１＋Ｌ２２，Ｌ１＋Ｌ３２）に接続されその長さを変化させていることは明らかであるから、これらをまとめて逆Ｆ型アンテナ長調整部ということができる。
　
　したがって、引用例には以下の発明（以下、「引用発明」という。）が記載されている。
　
　「モバイル情報処理装置（１０）の逆Ｆ型アンテナ（５２，５４，５６）であって、該逆Ｆ型アンテナ（５２，５４，５６）は、
　逆Ｆ型の主要導体エレメント（Ｌ１＋Ｌ１２，Ｌ１＋Ｌ２２，Ｌ１＋Ｌ３２）と、
　該逆Ｆ型の主要導体エレメント（Ｌ１＋Ｌ１２，Ｌ１＋Ｌ２２，Ｌ１＋Ｌ３２）に接続された逆Ｆ型アンテナ長調整部であって、該逆Ｆ型の主要導体エレメント（Ｌ１＋Ｌ１２，Ｌ１＋Ｌ２２，Ｌ１＋Ｌ３２）の長さを変化させる逆Ｆ型アンテナ長調整部と
　を備え、
　該逆Ｆ型アンテナ長調整部は、
　複数のエレメント（Ｌ１３，Ｌ１４，Ｌ１５，Ｌ２３，Ｌ２４，Ｌ２５，Ｌ３３，Ｌ３４，Ｌ３５）と、
　複数のスイッチ・ユニット（６５２，６５４，６５６，６６２，６６４，６６６，６７２，６７４，６７６）であって、該複数のスイッチ・ユニット（６５２，６５４，６５６，６６２，６６４，６６６，６７２，６７４，６７６）のそれぞれは、該逆Ｆ型の主要導体エレメント（Ｌ１＋Ｌ１２，Ｌ１＋Ｌ２２，Ｌ１＋Ｌ３２）と複数のエレメント（Ｌ１３，Ｌ２３，Ｌ３３）又は複数のエレメント（Ｌ１３，Ｌ１４，Ｌ１５，Ｌ２３，Ｌ２４，Ｌ２５，Ｌ３３，Ｌ３４，Ｌ３５）相互の間に接続されている、複数のスイッチ・ユニット（６５２，６５４，６５６，６６２，６６４，６６６，６７２，６７４，６７６）と、
　スイッチ（ＳＷ０）と、
　情報処理部（３０２）及び制御デコーダ（３０６）であって、
　該逆Ｆ型の主要導体エレメント（Ｌ１＋Ｌ１２，Ｌ１＋Ｌ２２，Ｌ１＋Ｌ３２）のＲＦ信号送受信状態をモニタし、
　該複数のスイッチ・ユニット（６５２，６５４，６５６，６６２，６６４，６６６，６７２，６７４，６７６）及びスイッチ（ＳＷ０）のそれぞれを選択的に作動させて、複数の特有なスイッチ配置を生じさせ、
　該複数の特有なスイッチ配置のそれぞれのＲＦ信号送受信状態をモニタし、
　該複数の特有なスイッチ配置のうちの１つの特有なスイッチ配置であって、最も良好なモニタされたＲＦ信号送受信状態を有する特有なスイッチ配置を選択する
　情報処理部（３０２）及び制御デコーダ（３０６）と
　を備える、逆Ｆ型アンテナ（５２，５４，５６）。」
　
第４　対比
　本願発明と引用発明とを対比する。
ａ．引用発明の「モバイル情報処理装置（１０）」、「逆Ｆ型の主要導体エレメント（Ｌ１＋Ｌ１２，Ｌ１＋Ｌ２２，Ｌ１＋Ｌ３２）」、「逆Ｆ型アンテナ長調整部」、「エレメント（Ｌ１３，Ｌ１４，Ｌ１５，Ｌ２３，Ｌ２４，Ｌ２５，Ｌ３３，Ｌ３４，Ｌ３５）」、「スイッチ・ユニット（６５２，６５４，６５６，６６２，６６４，６６６，６７２，６７４，６７６）」、「情報処理部（３０２）及び制御デコーダ（３０６）」、「ＲＦ信号」及び「モニタ」は、その機能において、本願発明の「移動通信端末機」、「第１アンテナ」、「アンテナ長調整部」、「第２アンテナ」、「スイッチ」、「制御部」、「信号」及び「測定」にそれぞれ相当する。
ｂ．引用発明の「複数のスイッチ・ユニット（６５２，６５４，６５６，６６２，６６４，６６６，６７２，６７４，６７６）であって、該複数のスイッチ・ユニット（６５２，６５４，６５６，６６２，６６４，６６６，６７２，６７４，６７６）のそれぞれは、該逆Ｆ型の主要導体エレメント（Ｌ１＋Ｌ１２，Ｌ１＋Ｌ２２，Ｌ１＋Ｌ３２）と複数のエレメント（Ｌ１３，Ｌ２３，Ｌ３３）又は複数のエレメント（Ｌ１３，Ｌ１４，Ｌ１５，Ｌ２３，Ｌ２４，Ｌ２５，Ｌ３３，Ｌ３４，Ｌ３５）相互の間に接続されている、複数のスイッチ・ユニット（６５２，６５４，６５６，６６２，６６４，６６６，６７２，６７４，６７６）」と、本願発明の「複数のスイッチであって、該複数のスイッチのそれぞれは、該第１アンテナと該複数の第２アンテナのうちの１つとの間に接続されている、複数のスイッチ」とは、上記ａ．の対比を考慮すれば、いずれも、「複数のスイッチであって、該複数のスイッチのそれぞれは、複数の第２アンテナのうちの特定の第２アンテナと接続されている、複数のスイッチ」という点で一致する。
ｃ．引用発明の「送受信状態」と、本願発明の「送受信品質」とは、品質は状態の一種であるから、いずれも、「送受信状態」という点で一致する。
ｄ．引用発明の「最も良好なモニタされたＲＦ信号送受信状態」と、本願発明の「最も高い測定された信号送受信品質」とは、上記ａ．及びｃ．の対比を考慮すれば、いずれも、「特定のモニタされた信号送受信状態」という点で一致する。
ｅ．引用発明の「逆Ｆ型アンテナ（５２，５４，５６）」は、アンテナ装置の一種である。
　
　したがって、本願発明と引用発明は、以下の点で一致ないし相違する。
　
＜一致点＞
　
　「移動通信端末機のアンテナ装置であって、該アンテナ装置は、
　第１アンテナと、
　該第１アンテナに接続されたアンテナ長調整部であって、該第１アンテナの長さを変化させるアンテナ長調整部と
　を備え、
　該アンテナ長調整部は、
　複数の第２アンテナと、
　複数のスイッチであって、該複数のスイッチのそれぞれは、複数の第２アンテナのうちの特定の第２アンテナと接続されている、複数のスイッチと、
　制御部であって、
　　該第１アンテナの信号送受信状態を測定し、
　　該複数のスイッチのそれぞれを選択的に作動させて、複数の特有なスイッチ配置を生じさせ、
　　該複数の特有なスイッチ配置のそれぞれの信号送受信状態を測定し、
　　該複数の特有なスイッチ配置のうちの１つの特有なスイッチ配置であって、特定のモニタされた信号送受信状態を有する特有なスイッチ配置を選択する
　制御部と
　を備える、アンテナ装置。」
　
＜相違点１＞
　
　「複数のスイッチであって、該複数のスイッチのそれぞれは、複数の第２アンテナのうちの特定の第２アンテナと接続されている、複数のスイッチ」に関し、
　本願発明は、「複数のスイッチであって、該複数のスイッチのそれぞれは、該第１アンテナと該複数の第２アンテナのうちの１つとの間に接続されている、複数のスイッチ」であるのに対し、引用発明は、「複数のスイッチ・ユニット（６５２，６５４，６５６，６６２，６６４，６６６，６７２，６７４，６７６）であって、該複数のスイッチ・ユニット（６５２，６５４，６５６，６６２，６６４，６６６，６７２，６７４，６７６）のそれぞれは、該逆Ｆ型の主要導体エレメント（Ｌ１＋Ｌ１２，Ｌ１＋Ｌ２２，Ｌ１＋Ｌ３２）と複数のエレメント（Ｌ１３，Ｌ２３，Ｌ３３）又は複数のエレメント（Ｌ１３，Ｌ１４，Ｌ１５，Ｌ２３，Ｌ２４，Ｌ２５，Ｌ３３，Ｌ３４，Ｌ３５）相互の間に接続されている、複数のスイッチ・ユニット（６５２，６５４，６５６，６６２，６６４，６６６，６７２，６７４，６７６）」である点。
　
＜相違点２＞
　
　「アンテナ長調整部」に関し、
　本願発明は、「複数の第２アンテナ」と、「・・・複数のスイッチ」と、「制御部」とを備えるのに対し、引用発明は、「複数のエレメント（Ｌ１３，Ｌ１４，Ｌ１５，Ｌ２３，Ｌ２４，Ｌ２５，Ｌ３３，Ｌ３４，Ｌ３５）」と、「・・・複数のスイッチ・ユニット（６５２，６５４，６５６，６６２，６６４，６６６，６７２，６７４，６７６）」と、「情報処理部（３０２）及び制御デコーダ（３０６）」とを備えており、さらに、「スイッチ（ＳＷ０）」を備え、これに伴い、「スイッチ（ＳＷ０）」を選択的に作動させる点。
　
＜相違点３＞
　
　「送受信状態」に関し、
　本願発明は、「送受信『品質』」であるのに対し、引用発明は、「送受信状態」であるものの、状態が『品質』であるか否か不明である点。
　
＜相違点４＞
　
　「特定のモニタされた信号送受信状態」に関し、
　本願発明は、「最も高い測定された信号送受信品質」であるのに対し、引用発明は、「最も良好なモニタされたＲＦ信号送受信状態」である点。
　
第５　判断
　そこで、まず、上記相違点１について検討する。
　引用発明の「複数のスイッチ・ユニット（６０２，６０４，６０６，６５２，６５４，６５６，６６２，６６４，６６６，６７２，６７４，６７６）」（複数のスイッチ）は、「該複数のスイッチ・ユニット（６０２，６０４，６０６，６５２，６５４，６５６，６６２，６６４，６６６，６７２，６７４，６７６）」（複数のスイッチ）のそれぞれを選択的に作動させて、「エレメント（Ｌ１３，Ｌ１４，Ｌ１５，Ｌ２３，Ｌ２４，Ｌ２５，Ｌ３３，Ｌ３４，Ｌ３５）」（第２アンテナ）を接続して、逆Ｆ型アンテナ（５２，５４，５６）（アンテナ装置）としての全体の長さを変化させているところ、複数の第２アンテナの接続関係の構成を、本願の特許請求の範囲の請求項３に記載された発明特定事項の「前記複数の第２アンテナは、相互に異なる長さを有しており、並列に接続される」ような構成とすることは、設計の必要性に応じて格別の創意工夫を要することなく成し得る設計的事項にすぎないから、その上位概念に相当する本願発明のように「複数のスイッチであって、該複数のスイッチのそれぞれは、該第１アンテナと該複数の第２アンテナのうちの１つとの間に接続されている、複数のスイッチ」とすることは当業者が容易に成し得ることである。
　
　次に、上記相違点２について検討する。
　引用発明は、全体として、本願発明と同様な作用効果を奏するものであるが、逆Ｆ型アンテナ（５２，５４，５６）（アンテナ装置）のうちの一つに着目してみても、逆Ｆ型アンテナ（アンテナ装置）として全体の長さを変化させているものであり、引用発明のスイッチ（ＳＷ０）を省いて、逆Ｆ型アンテナ（５２，５４，５６）（アンテナ装置）のうちの一つとして構成しても同様な作用効果を奏するものであるから、本願発明のように「複数の第２アンテナ」と、「・・・複数のスイッチ」と、「制御部」とを備えるものとすることは当業者が容易に成し得ることである。
　
　次に、上記相違点３及び４について検討する。
　アンテナ装置において、測定する信号送受信状態として、「品質」を用いることは周知であり、引用発明に周知技術を採用することに格別の困難性は認められないから、引用発明に周知技術を適用して、本願発明のように、「送受信『品質』」とすることは当業者が容易に成し得ることである。その際、引用発明の「最も良好なモニタされたＲＦ信号送受信状態」が、本願発明のように「最も高い測定された信号送受信品質」となることは当然である。
　
　そして、本願発明の作用効果も、引用発明から当業者が容易に予測できる範囲のものである。
　
第６　むすび
　以上のとおり、本願発明は、引用発明に基いて当業者が容易に発明をすることができたものと認められるから、特許法第２９条第２項の規定により特許を受けることができない。
　
　よって、結論のとおり審決する。